(57)【要約】      （修正有）【課題】例えば調理中であって、手が水や調味料又は油等で汚れている時でも、冷蔵庫等の取手を汚さずに使用することができ、且つ取手を清潔に保つことができ、さらに冷蔵庫等の外観を損ねることがない、使い捨て取手保護具を提供する。【解決手段】本使い捨て取手保護具１は、一面に粘着性を有し取手に対して着脱可能に装着されるシート状の貼付部１１と、該貼付部の一面を剥離可能に被覆する被覆部１２と、前記貼付部の他面に接合され、少なくとも吸水性を備え前記取手を保護する保護部１３とを有することを特徴とする。【選択図】図３
0003160346.tif 000002
【実用新案登録請求の範囲】
【請求項１】
一面に粘着性を有し取手に対して着脱可能に装着されるシート状の貼付部と、
前記貼付部の前記一面を剥離可能に被覆する被覆部と、
前記貼付部の他面に接合され、少なくとも吸水性を備え前記取手を保護する保護部とを有すること
を特徴とする使い捨て取手保護具。
【請求項２】
一面に粘着性を有し取手に対して着脱可能に装着されるシート状の貼付部と、
前記貼付部の前記一面を剥離可能に被覆する被覆部と、
屈折部位又は湾曲部位を介して２つ以上の面を有し、前記面の１つの面が前記貼付部の他面に接合され、少なくとも吸水性を備え前記取手を保護する保護部とを有すること
を特徴とする使い捨て取手保護具。
【請求項３】
一面に粘着性を有し取手に対して着脱可能に装着されるシート状の貼付部と、
前記貼付部の前記一面を剥離可能に被覆する被覆部と、
前記貼付部の他面に接合され、少なくとも吸水性を備え前記取手を保護する保護部とを有し、
前記貼付部、前記被覆部、及び前記保護部は、円周状又は多面体状に巻かれ、且つ所定の間隔でミシン目状に切断された切れ目が形成され、
前記切れ目に沿って隣接する前記貼付部、前記被覆部、及び前記保護部が切断されること
を特徴とする使い捨て取手保護具。
【請求項４】
前記保護部は、前記保護具の表面が凸状、凹状、又は凸状及び凹状に形成されていること
を特徴とする請求項１乃至３のいずれか１項に記載の使い捨て取手保護具。
【考案の詳細な説明】
【技術分野】
【０００１】
本考案は、冷蔵庫や食器棚等の取手に対して着脱可能に装着される使い捨ての取手保護具に関する。
【背景技術】
【０００２】
従来、家具を保護するものに関して、手の指が収まる布で長方形の布の裏に、布を取っ手に挟んで折り曲げて、取っ手に固定させる一対のベルベットファスナーを間隔をおいて設けたカバーの構成がある（例えば、特許文献１参照。）。
【先行技術文献】
【特許文献】
【０００３】
【特許文献１】実用新案登録第３１０７２８２号公報
【考案の概要】
【考案が解決しようとする課題】
【０００４】
しかしながら、前述の構成では、カバーが取手の外側に設けられていることから、該カバーを視認可能であり、引き出しの外観が損なわれることがあった。また、引き出しの取手の開閉を頻繁に行う場合には、カバーを清潔に保つために、該カバーを頻繁に洗濯する必要があり、使い勝手が良くないことがあった。
【０００５】
そこで、本考案は前述の課題に鑑み、例えば調理中であって、手が水や調味料又は油等で汚れている時でも、冷蔵庫等の取手を汚さずに使用することができ、且つ取手を清潔に保つことができ、さらに冷蔵庫等の外観を損ねることがない、使い捨て取手保護具の提供を目的とする。
【課題を解決するための手段】
【０００６】
前述の課題を解決すべく、本考案に係る使い捨て取手保護具は、一面に粘着性を有し取手に対して着脱可能に装着されるシート状の貼付部と、前記貼付部の前記一面を剥離可能に被覆する被覆部と、前記貼付部の他面に接合され、少なくとも吸水性を備え前記取手を保護する保護部とを有することを特徴とする。
【考案の効果】
【０００７】
本考案に係る使い捨て取手保護具によれば、例えば調理中であって、手が水や調味料又は油等で汚れている時でも、冷蔵庫等の取手を汚さずに使用することができ、且つ取手を清潔に保つことができ、さらに冷蔵庫等の外観を損ねることがない。
【図面の簡単な説明】
【０００８】
【図１】本考案の第１の実施形態の使い捨て取手保護具を示す斜視図である。
【図２】本考案の第１の実施形態の使い捨て取手保護具を示す側面図である。
【図３】本考案の第１の実施形態の使い捨て取手保護具を取手に装着する状態を示す模式図であり、（ａ）は使い捨て取手保護具の貼付部から被覆部を剥離する状態を示し、（ｂ）は使い捨て取手保護具の貼付部を取手に装着した状態を示し、（ｃ）は取手に装着された使い捨て取手保護具に手を付勢させている状態を示している。
【図４】本考案の第１の実施形態の使い捨て取手保護具を冷蔵庫の取手に装着して使用する状態を示す斜視図であり、（ａ）は冷蔵庫の取手に使い捨て取手保護具が装着された状態を示し、（ｂ）は冷蔵庫の取手に装着された使い捨て取手保護具に手を付勢して冷蔵庫の取手を開けた状態を示している。
【図５】本考案の第１の実施形態の使い捨て取手保護具を冷蔵庫の取手に装着して使用する状態を示す断面図であり、図４にそれぞれ対応し、（ａ）は冷蔵庫の取手に使い捨て取手保護具が装着された状態を示し、（ｂ）は冷蔵庫の取手に装着された使い捨て取手保護具に手を付勢して冷蔵庫の取手を開けた状態を示している。
【図６】本考案の第１の実施形態の使い捨て取手保護具を食器棚の取手に装着して使用する状態を示す斜視図であり、（ａ）は食器棚の取手に使い捨て取手保護具が装着された状態を示し、（ｂ）は食器棚の取手に装着された使い捨て取手保護具に手を付勢して食器棚の取手を開けた状態を示している。
【図７】本考案の第１の実施形態の使い捨て取手保護具を食器棚の取手に装着して使用する状態を示す断面図であり、図４にそれぞれ対応し、（ａ）は食器棚の取手に使い捨て取手保護具が装着された状態を示し、（ｂ）は食器棚の取手に装着された使い捨て取手保護具に手を付勢して食器棚の取手を開けた状態を示している。
【図８】本考案の第２の実施形態の使い捨て取手保護具を示す斜視図である。
【図９】本考案の第２の実施形態の使い捨て取手保護具を取手に装着して剥がす状態を示す模式図であり、（ａ）は使い捨て取手保護具の貼付部から被覆部を剥離する状態を示し、（ｂ）は取手に装着された使い捨て取手保護具に手を付勢させている状態を示し、（ｃ）は取手から使い捨て取手保護具を剥がしている状態を示している。
【図１０】本考案の第３の実施形態の使い捨て取手保護具を示す斜視図である。
【考案を実施するための形態】
【０００９】
以下、本考案の使い捨て取手保護具に係る好適な実施形態について、図面を参照しながら説明する。なお、本考案の使い捨て取手保護具は、以下の記述に限定されるものではなく、本考案の要旨を逸脱しない範囲において、適宜変更可能である。また、以下の説明においては、最初に本発明の第１の実施形態の使い捨て取手保護具について図１乃至図７を参照しながら説明する。次に本発明の第２の実施形態の使い捨て取手保護具について図８及び図９を参照しながら説明する。最後に本発明の第３の実施形態の使い捨て取手保護具について図１０を参照しながら説明する。
【００１０】
［第１の実施形態］
本発明の第１の実施形態の使い捨て取手保護具１について、図１乃至図７を参照しながら、具体的に説明する。なお、先ず使い捨て取手保護具１の構成について図１乃至図２を参照しながら説明し、次に使い捨て取手保護具１の取手への装着方法について図３を参照しながら説明し、さらに使い捨て取手保護具１の使用方法について図４乃至図７を参照しながら説明する。
【００１１】
先ず、使い捨て取手保護具１の構成について、図１乃至図２を参照しながら、具体的に説明する。
【００１２】
図１及び図２に示すように、使い捨て取手保護具１は、貼付部１１、被覆部１２、及び保護部１３から構成される。以下、使い捨て取手保護具１を構成する各構成部材について説明する。使い捨て取手保護具１を構成する貼付部１１は、一面に粘着性を有し取手に対して着脱可能に装着される。この様な貼付部１１は、例えばポリエステルから成る基材層１１Ａに、例えば弱粘着性のアクリル系粘着剤から成る粘着層１１Ｂを設け、例えば略長方形状から形成されている。また、使い捨て取手保護具１を構成する被覆部１２は、貼付部１１の一面を剥離可能に被覆する。この様な被覆部１２は、例えば材質が紙等から成り、例えば略長方形状に形成されている。
【００１３】
また、使い捨て取手保護具１に関し、使い捨て取手保護具１を構成する保護部１３は、貼付部１１の他面に接合され、少なくとも吸水性を備え取手を保護する。この様な保護部１３は、例えば水や油等の液体を吸収する性質を有するポリプロピレン等を繊維として用いた不織布からなる吸水層１３Ａの表面に、例えば所定の間隔でマトリクス状に凸状の突起を設けることで凹凸形状にした凹凸層１３Ｂを設け、例えば略長方形状から形成されている。なお、保護部１３に凹凸層１３Ｂを設けることにより、例えば水や油等の液体で濡れた手を滑り難くする。
【００１４】
次に、使い捨て取手保護具１の取手Ｂへの装着方法について、図３を参照しながら、具体的に説明する。
【００１５】
図３（ａ）に示すように、まず、使い捨て取手保護具１の貼付部１１から被覆部１２を剥離する。その後、図３（ｂ）に示すように、使い捨て取手保護具１の貼付部１１の粘着層１１Ｂを、取手Ｂの裏面の任意の位置に装着する。なお、図３（ｃ）に示すように、取手Ｂに装着された使い捨て取手保護具１に手Ｈを付勢させることにより、取手Ｂに直接手Ｈを触れることなく、該取手Ｂを開ける。
【００１６】
さらに、使い捨て取手保護具１の使用方法について、図４乃至図７を参照しながら、具体的に説明する。
【００１７】
図４（ａ）及び図５（ａ）に示すように、例えば、まず被覆部１２を剥離した使い捨て取手保護具１を冷蔵庫Ｒの取手Ｄに装着する。次に図４（ｂ）及び図５（ｂ）に示すように、冷蔵庫Ｒの取手Ｄに装着された使い捨て取手保護具１に対して、手Ｈを付勢させて手前に引くことで、例えば水や調味料又は油等の液体で濡れた手Ｈを冷蔵庫Ｒの取手Ｄに直接触れることなく、該取手Ｄを開けることができる。
【００１８】
また、図６（ａ）及び図７（ａ）に示すように、例えば、まず被覆部１２を剥離した使い捨て取手保護具１を食器棚Ｋの取手Ｔに装着する。次に、図６（ｂ）及び図７（ｂ）に示すように、食器棚Ｋの取手Ｔに装着された使い捨て取手保護具１に対して、手Ｈを付勢させて手前に引くことで、例えば水や調味料又は油等の液体で濡れた手Ｈを食器棚Ｋの取手Ｔに直接触れることなく、該取手Ｔを開けることができる。
【００１９】
以上、本考案の第１の実施形態の使い捨て取手保護具１によれば、例えば調理中であって、手Ｈが水や調味料又は油等で汚れている時でも、使い捨て取手保護具１を構成する保護部１３が水や調味料又は油等を吸収するため、例えば冷蔵庫Ｒの取手Ｄを汚さずに使用することができる。また、本考案の第１の実施形態の使い捨て取手保護具１によれば、汚れ具合に応じて、使い捨て取手保護具１を随時取り替えることにより、例えば冷蔵庫Ｒの取手Ｄを清潔に保つことができる。
【００２０】
さらに、本考案の第１の実施形態の使い捨て取手保護具１によれば、例えば冷蔵庫Ｒの取手Ｄの裏面側に装着することから、該使い捨て取手保護具１を外部から視認し難く、冷蔵庫Ｒの外観を損ねることがない。
【００２１】
［第２の実施形態］
本発明の第２の実施形態の使い捨て取手保護具２について、図８及び図９を参照しながら、具体的に説明する。なお、先ず使い捨て取手保護具２の構成について図８を参照しながら説明し、次に使い捨て取手保護具２の取手への装着方法と剥離方法について図９を参照しながら説明する。また、使い捨て取手保護具２の使用方法については、使い捨て取手保護具１の使用方法と同様であるため、説明を省略する。
【００２２】
ここで、第２の実施形態の使い捨て取手保護具２は、第１の実施形態の使い捨て取手保護具１と異なり、使い捨て取手保護具２を構成する保護部２３が屈折部位又は湾曲部位を介して２つ以上の面を有していることに特徴がある。なお、それ以外の使い捨て取手保護具２に係る構成は、第１の実施形態で述べた使い捨て取手保護具１の構成と基本的に同様である。このため、第２の実施形態においては、第１の実施形態と異なる事項を中心にして具体的に説明する。
【００２３】
先ず、使い捨て取手保護具２の構成について、図８を参照しながら、具体的に説明する。
【００２４】
図３に示すように、使い捨て取手保護具２は、第１の実施形態の使い捨て取手保護具１と同様の仕様から成る貼付部２１及び被覆部２２と、第２の実施形態の使い捨て取手保護具２に特有の仕様から成る保護部２３により構成される。このため、以下、保護部２３の仕様について説明する。
【００２５】
使い捨て取手保護具２を構成する保護部２３は、屈折部位２３Ｕを介して一面２３Ｓ及び他面２３Ｔを有し、一面２３Ｓが貼付部２１に接合され、少なくとも吸水性を備え取手を保護する。この様な保護部２３は、保護部１３と同様に、例えば水や油等の液体を吸収する性質を有するポリプロピレン等を繊維として用いた不織布からなる吸水層２３Ａの表面に、例えば所定の間隔でマトリクス状に凸状の突起を設けることで凹凸形状にした凹凸層２３Ｂを設け、例えばＬ字状に屈折された略長方形状から形成されている。
【００２６】
また、使い捨て取手保護具２を構成する保護部２３に関し、保護部１３と同様に、保護部２３に凹凸層２３Ｂを設けることにより、例えば水や油等の液体で濡れた手を滑り難くしている。さらに、保護部２３が、屈折部位２３Ｕを介して一面２３Ｓ及び他面２３Ｔを有し、例えばＬ字状に屈折された略長方形状から形成されていることにより、手から落下した水や調味料又は油等を、床面等に落とすことなく、他面２３Ｔで効率良く受け止めて吸収することができる。また、他面２３Ｔを手で掴んで引っ張ることにより、取手に装着した使い捨て取手保護具２を、該取手から容易に剥がすことができる。
【００２７】
次に、使い捨て取手保護具２の取手Ｂへの装着方法と剥離方法について、図９を参照しながら具体的に説明する。
【００２８】
図９（ａ）に示すように、まず、使い捨て取手保護具２の貼付部２１から被覆部２２を剥がす。その後、図９（ｂ）に示すように、使い捨て取手保護具２の貼付部２１の粘着層２１Ｂを、取手Ｂの裏面の任意の位置に装着する。なお、取手Ｂに装着された使い捨て取手保護具２に手Ｈを付勢させることにより、取手Ｂに直接手Ｈを触れることなく、該取手Ｂを開ける。さらに、図９（ｃ）に示すように、保護部２３の他面２３Ｔを手Ｈで掴んで引っ張ることにより、取手Ｂに装着した使い捨て取手保護具２を、該取手Ｂから容易に剥がすことができる。
【００２９】
以上、本考案の第２の実施形態の使い捨て取手保護具２によれば、第１の実施形態の使い捨て取手保護具１と同様に、例えば調理中であって、手Ｈが水や調味料又は油等で汚れている時でも、使い捨て取手保護具２を構成する保護部２３が水や調味料又は油等を吸収するため、例えば冷蔵庫Ｒの取手Ｄを汚さずに使用することができる。また、本考案の第２の実施形態の使い捨て取手保護具２によれば、保護部２３が、屈折部位２３Ｕを介して一面２３Ｓ及び他面２３Ｔを有し、例えばＬ字状に屈折された略長方形状から形成されていることから、手Ｈから落下した水や調味料又は油等を、床面等に落とすことなく、他面２３Ｔで効率良く受け止めて吸収することができる。
【００３０】
また、本考案の第２の実施形態の使い捨て取手保護具２によれば、第１の実施形態の使い捨て取手保護具１と同様に、汚れ具合に応じて、使い捨て取手保護具２を随時取り替えることにより、例えば冷蔵庫Ｒの取手Ｄを清潔に保つことができる。なお、取り替えの際に、保護部２３の他面２３Ｔを手Ｈで掴んで引っ張ることにより、該取手Ｄから容易に剥がすことができる。さらに、本考案の第２の実施形態の使い捨て取手保護具２によれば、第１の実施形態の使い捨て取手保護具１と同様に、例えば冷蔵庫Ｒの取手Ｄの裏面側に装着することから、該使い捨て取手保護具２を外部から視認し難く、冷蔵庫Ｒの外観を損ねることがない。
【００３１】
［第３の実施形態］
本発明の第３の実施形態の使い捨て取手保護具３の構成について、図１０を参照しながら説明する。また、使い捨て取手保護具３の使用方法と装着方法については、使い捨て取手保護具１の使用方法と同様であるため、説明を省略する。
【００３２】
図１０に示すように、第３の実施形態の使い捨て取手保護具３は、第１の実施形態の使い捨て取手保護具１と異なり、貼付部３１、被覆部３２、及び保護部３３が例えば円周状に巻かれ、且つ所定の間隔でミシン目状に切断された切れ目３４が形成され、該切れ目３４に沿って隣接する貼付部３１、被覆部３２、及び保護部３３が一体に切断されることに特徴を有している。なお、それ以外の使い捨て取手保護具３に係る構成は、第１の実施形態で述べた使い捨て取手保護具１の構成と基本的に同様である。
【００３３】
以上、本考案の第３の実施形態の使い捨て取手保護具３によれば、第１の実施形態の使い捨て取手保護具１と同様に、例えば調理中であって、手Ｈが水や調味料又は油等で汚れている時でも、使い捨て取手保護具３を構成する保護部３３が水や調味料又は油等を吸収するため、例えば冷蔵庫Ｒの取手Ｄを汚さずに使用することができる。また、本考案の第３の実施形態の使い捨て取手保護具３によれば、第１の実施形態の使い捨て取手保護具１と同様に、汚れ具合に応じて、使い捨て取手保護具３を随時取り替えることにより、例えば冷蔵庫Ｒの取手Ｄを清潔に保つことができる。
【００３４】
また、本考案の第３の実施形態の使い捨て取手保護具３によれば、使い捨て取手保護具３の使用頻度が、自宅と比較して高くなると考えられるスーパーマーケット等の冷蔵庫に用いれば、該使い捨て取手保護具３の交換をより簡便に行うことができる。さらに、本考案の第３の実施形態の使い捨て取手保護具３によれば、第１の実施形態の使い捨て取手保護具１と同様に、例えば冷蔵庫Ｒの取手Ｄの裏面側に装着することから、該使い捨て取手保護具３を外部から視認し難く、冷蔵庫Ｒの外観を損ねることがない。
【符号の説明】
【００３５】
１，２，３  使い捨て取手保護具
１１  貼付部
１１Ａ  基材層
１１Ｂ  粘着層
１２  被覆部
１３  保護部
１３Ａ  吸水層
１３Ｂ  凹凸層
２１  貼付部
２１Ａ  基材層
２１Ｂ  粘着層
２２  被覆部
２３  保護部
２３Ａ  吸水層
２３Ｂ  凹凸層
２３Ｓ  一面
２３Ｔ  他面
２３Ｕ  屈折部位
３１  貼付部
３２  被覆部
３３  保護部
３４  切れ目
Ｈ  手
Ｂ  取手
Ｒ  冷蔵庫
Ｄ  取手
Ｋ  食器棚
Ｔ  取手
【図１】
0003160346.tif 000003
【図２】
0003160346.tif 000004
【図３】
0003160346.tif 000005
【図４】
0003160346.tif 000006
【図５】
0003160346.tif 000007
【図６】
0003160346.tif 000008
【図７】
0003160346.tif 000009
【図８】
0003160346.tif 000010
【図９】
0003160346.tif 000011
【図１０】
0003160346.tif 000012
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
一面に粘着性を有し取手に対して着脱可能に装着されるシート状の貼付部と、
前記貼付部の前記一面を剥離可能に被覆する被覆部と、
前記貼付部の他面に接合され、少なくとも吸水性を備え前記取手を保護する保護部とを有すること
を特徴とする使い捨て取手保護具。
【請求項２】
一面に粘着性を有し取手に対して着脱可能に装着されるシート状の貼付部と、
前記貼付部の前記一面を剥離可能に被覆する被覆部と、
屈折部位又は湾曲部位を介して２つ以上の面を有し、前記面の１つの面が前記貼付部の他面に接合され、少なくとも吸水性を備え前記取手を保護する保護部とを有すること
を特徴とする使い捨て取手保護具。
【請求項３】
一面に粘着性を有し取手に対して着脱可能に装着されるシート状の貼付部と、
前記貼付部の前記一面を剥離可能に被覆する被覆部と、
前記貼付部の他面に接合され、少なくとも吸水性を備え前記取手を保護する保護部とを有し、
前記貼付部、前記被覆部、及び前記保護部は、円周状又は多面体状に巻かれ、且つ所定の間隔でミシン目状に切断された切れ目が形成され、
前記切れ目に沿って隣接する前記貼付部、前記被覆部、及び前記保護部が切断されること
を特徴とする使い捨て取手保護具。
【請求項４】
前記保護部は、前記保護部の表面が凸状、凹状、又は凸状及び凹状に形成されていること
を特徴とする請求項１乃至３のいずれか１項に記載の使い捨て取手保護具。